(57)【要約】      （修正有）【課題】固定子に残る応力を低減できるモータの取付方法を提供する。【解決手段】モータ（10）の回転子（11）に繋がる軸（15）を支持する軸受（22）を有した部材（20）を、回転子（11）の径方向の位置を規制するように構成されたケーシング（30）内に固定する第１工程と、モータ（10）の固定子（12）を、ケーシング（30）の内面（32a）に対して、固定子（12）の径方向に隙間を開けて固定する第２工程とを含み、第１工程と第２工程とを任意の順で行う。【選択図】図１
2020148108.tif 000002
【特許請求の範囲】
【請求項１】
モータ（10）の回転子（11）に繋がる軸（15）を支持する軸受（22）を有した部材（20）を、前記回転子（11）の径方向の位置を規制するように構成されたケーシング（30）内に固定する第１工程（A4,B2）と、
前記モータ（10）の固定子（12）を、前記ケーシング（30）の内面（32a）に対して、前記固定子（12）の径方向に隙間を開けて固定する第２工程（A3,B4）と、
を含み、前記第１工程と前記第２工程とを任意の順で行うことを特徴とするモータの取付方法。
【請求項２】
請求項１において、
前記ケーシング（30）内には、前記固定子（12）の軸方向の位置を規制する台座（40）が設けられており、
前記第２工程では、前記固定子（12）と前記台座（40）とを、ボルト、リベット、接着、及び溶接の何れかによって固定することを特徴とするモータの取付方法。
【請求項３】
請求項２において、
前記台座（40）を前記ケーシング（30）内に固定する工程を含むことを特徴とするモータの取付方法。
【請求項４】
請求項１から請求項３の何れかにおいて、
前記軸受（22）を有する部材（20）は、冷媒を圧縮する圧縮機構（20）であり、
前記第１工程では、前記圧縮機構（20）を前記回転子（11）の径方向の位置を規制するように前記ケーシング（30）に固定することを特徴とするモータの取付方法。
【発明の詳細な説明】
【技術分野】
【０００１】
本開示は、モータの取付方法に関するものである。
【背景技術】
【０００２】
空気調和装置などに用いられる圧縮機では、ケーシング内にモータが設けられる（例えば特許文献１を参照）。特許文献１の例では、モータの固定子がケーシングに焼嵌めによって固定されている。
【先行技術文献】
【特許文献】
【０００３】
【特許文献１】特開２００７−９２６４３号公報
【発明の概要】
【発明が解決しようとする課題】
【０００４】
特許文献１のように、固定子を焼嵌めすると、モータの取付後、固定子に応力が残る（換言すると歪みが残る）。固定子に応力が残ると、モータにおいて鉄損が増える懸念がある。
【０００５】
本開示の目的は、固定子に残る応力を低減できるモータの取付方法を提供することにある。
【課題を解決するための手段】
【０００６】
本開示の第１の態様は、
モータ（10）の回転子（11）に繋がる軸（15）を支持する軸受（22）を有した部材（20）を、前記回転子（11）の径方向の位置を規制するように構成されたケーシング（30）内に固定する第１工程（A4,B2）と、
前記モータ（10）の固定子（12）を、前記ケーシング（30）の内面（32a）に対して、前記固定子（12）の径方向に隙間を開けて固定する第２工程（A3,B4）と、
を含み、前記第１工程と前記第２工程とを任意の順で行うことを特徴とするモータの取付方法である。
【０００７】
第１の態様では、ケーシング（30）の内面（32a）に対して、固定子（12）の径方向に隙間（W）を開けて、固定子（12）が固定される。
【０００８】
本開示の第２の態様は、第１の態様において、
前記ケーシング（30）内には、前記固定子（12）の軸方向の位置を規制する台座（40）が設けられており、
前記第２工程では、前記固定子（12）と前記台座（40）とを、ボルト、リベット、接着、及び溶接の何れかによって固定することを特徴とするモータの取付方法である。
【０００９】
第２の態様では、台座（40）を介して、固定子（12）とケーシング（30）とが固定される。
【００１０】
本開示の第３の態様は、第２の態様において、
前記台座（40）を前記ケーシング（30）内に固定する工程を含むことを特徴とするモータの取付方法である。
【００１１】
本開示の第４の態様は、第１から第３の態様の何れかにおいて、
前記軸受（22）を有する部材（20）は、冷媒を圧縮する圧縮機構（20）であり、
前記第１工程では、前記圧縮機構（20）を前記回転子（11）の径方向の位置を規制するように前記ケーシング（30）に固定することを特徴とするモータの取付方法である。
【図面の簡単な説明】
【００１２】
【図１】図１は、実施形態１にかかる圧縮機の断面図である。
【図２】図２は、圧縮機の他の断面図を示す。
【図３】図３は、圧縮機構と回転子とを駆動軸で連結した状態を示す。
【図４】図４は、本体部に台座を取り付けた状態を示す。
【図５】図５は、固定子を台座に取り付けた状態を示す。
【図６】図６は、サブアセンブリを本体部に取り付けた状態を示す。
【図７】図７は、第１鏡板及び第２鏡板を本体部に取り付けた状態を示す。
【図８】図８は、サブアセンブリを本体部に取り付けた状態を示す。
【図９】図９は、本体部に台座を取り付けた状態を示す。
【発明を実施するための形態】
【００１３】
以下では、モータを有した圧縮機を組み立てる方法の例（製造方法の例）を説明する。
【００１４】
《実施形態１》
図１は、実施形態１にかかる圧縮機（1）の断面図である。この圧縮機（1）は、冷媒（例えばR32,R410A等）を圧縮する。図１に示すように、圧縮機（1）は、モータ（10）、圧縮機構（20）、ケーシング（30）、台座（40）、及びアキュムレータ（50）を備えている。図２に、圧縮機（1）の他の断面図を示す。図２は、図１のII-II断面に相当する。図２は、図１の断面に直交する断面である。以下では、圧縮機（1）の各構成要素について説明した後に、圧縮機（1）を組み立てる方法（換言するとモータ（10）の取り付け方法）を説明する。
【００１５】
〈圧縮機の構成〉
ケーシング（30）は、両端が閉じた円筒状の密閉容器である。ケーシング（30）は、本体部（32）、第１鏡板（33）、第２鏡板（34）を備えている。ケーシング（30）を構成するこれらの部材は、何れも鉄などの金属で構成されている。
【００１６】
本体部（32）は、円筒形状である。本体部（32）は、圧縮機構（20）の径方向の位置を規制している。具体的には、圧縮機構（20）を本体部（32）に圧入できるように、本体部（32）の内径と圧縮機構（20）の外径の寸法関係が設定されている。
【００１７】
第１鏡板（33）、および第２鏡板（34）は、カップ状の部材である。第１鏡板（33）は、本体部（32）の一端に溶接されている。第２鏡板（34）は、本体部（32）の他端に溶接される。
【００１８】
ケーシング（30）には、冷媒を吐出するための吐出管（31）が設けられている。吐出管（31）は、第１鏡板（33）に溶接されている。ケーシング（30）には、アキュムレータ（50）からの配管を固定するためのパイプ材（35）も設けられている。パイプ材（35）は、本体部（32）の側面に溶接されている。
【００１９】
モータ（10）は、この例では、いわゆる磁石埋込型のモータ（IPMモータ）である。モータ（10）は、回転子（11）、固定子（12）、及び駆動軸（15）を備えている。モータ（10）は、ケーシング（30）内に固定されている。具体的には、固定子（12）が、台座（40）を介してケーシング（30）に固定されている。固定子（12）とケーシング（30）との固定については、後に詳述する。
【００２０】
回転子（11）は、電磁鋼板を積層して形成されている。回転子（11）には、永久磁石（11a）が埋め込まれている。回転子（11）の中心には、駆動軸（15）が嵌め込まれている。この例では、回転子（11）と駆動軸（15）とは、圧入で固定されている。駆動軸（15）は、一端が圧縮機構（20）に接続されている（図１参照）。
【００２１】
固定子（12）は、例えば、電磁鋼板を積層して形成される。固定子（12）には、電磁石を形成する複数のコイル（14）が設けられている。固定子（12）の外径は、固定子（12）をケーシング（30）内に入れた状態で、本体部（32）の内面（32a）と固定子（12）の外周面（12a）との間で隙間（W）ができるように設定されている。
【００２２】
固定子（12）には、外側の周縁に、複数の貫通孔（13）が周方向に等ピッチで形成されている（図２を参照）。この例では、貫通孔（13）は、９０°ピッチで設けられている。これらの貫通孔（13）は、固定子（12）の固定に利用される（詳細は後述）。これらの貫通孔（13）は、丸穴である。貫通孔（13）は、後述の絶縁部材（70）を挿入できる直径を有している。
【００２３】
圧縮機構（20）は、いわゆるロータリ式の圧縮機構である。圧縮機構（20）は、ケーシング（30）に収容されている。具体的には、圧縮機構（20）は、ケーシング（30）に圧入されている。圧縮機構（20）は、駆動軸（15）で駆動される。圧縮機構（20）には、駆動軸（15）を支持する軸受（22）が設けられている。
【００２４】
モータ（10）が駆動すると、圧縮機構（20）は、冷媒を吸入する。圧縮機構（20）は、吸入した冷媒を圧縮する。圧縮機構（20）は、圧縮した冷媒をケーシング（30）内に吐出する。このとき、モータ（10）は、ケーシング（30）内において冷媒に曝される。ケーシング（30）内に吐出された冷媒は、吐出管（31）から吐出される。
【００２５】
台座（40）は、モータ（10）（より正確には固定子（12））をケーシング（30）に固定するための部材である。台座（40）は、固定子（12）の軸方向の位置を規制する。台座（40）は、環状の部材である。台座（40）は、鉄などの金属部材で形成されている。台座（40）は、導電性を有している。
【００２６】
台座（40）には、後述のボルト（60）に対応する複数の雌ねじ（41）が設けられている。台座（40）は、これらの雌ねじ（41）と固定子（12）の貫通孔（13）とが対応するように、ケーシング（30）内に圧入によって固定されている（固定の工程については後述する）。
【００２７】
アキュムレータ（50）は、液冷媒とガス冷媒が混ざった状態の冷媒を、液冷媒とガス冷媒とに分離するものである。アキュムレータ（50）と圧縮機構（20）とは、配管によって接続される。
【００２８】
〈圧縮機の組み立て（モータの取り付け）〉
既述の通り、固定子（12）は、台座（40）を介してケーシング（30）に固定されている。この固定には、ボルト（60）、及び絶縁部材（70）が用いられている。本実施形態では、圧縮機（1）を組み立てるために、以下の工程（Ａ１〜Ａ６）を行う。
【００２９】
−工程Ａ１−
工程Ａ１では、圧縮機構（20）と回転子（11）とを駆動軸（15）で連結する（図３を参照）。具体的には、例えば、駆動軸（15）を圧縮機構（20）に圧入する。その後、例えば圧入によって、回転子（11）に駆動軸（15）を取り付ける。以下では、圧縮機構（20）と回転子（11）とを駆動軸（15）で連結したものを「サブアセンブリ」と呼ぶ。
【００３０】
−工程Ａ２−
工程Ａ２では、ケーシング（30）の本体部（32）に、台座（40）を取り付ける。図４は、本体部（32）に台座（40）を取り付けた状態を断面図で示す。この工程では、台座（40）を本体部（32）に圧入することによって、両者を互いに固定している。この工程では、パイプ材（35）を本体部（32）に溶接している。
【００３１】
−工程Ａ３−
工程Ａ３では、固定子（12）を台座（40）に取り付ける。図５に固定子（12）を台座（40）に取り付けた状態を示す。本実施形態では、固定子（12）と台座（40）との固定に、ボルト（60）及び絶縁部材（70）を用いる。
【００３２】
ボルト（60）は、いわゆる六角ボルトである。絶縁部材（70）は、筒状の部材である。絶縁部材（70）は、電気絶縁性を有している。この例では、絶縁部材（70）は、ポリフェニレンサルファイド（Poly Phenylene Sulfide：略称PPS）によって形成されている。絶縁部材（70）には、軸方向（前記筒状の形態における軸方向を意味する）に貫通孔が形成されている。絶縁部材（70）の貫通孔の直径は、ボルト（60）の胴部を通すことができる大きさである。
【００３３】
工程Ａ３では、固定子（12）の貫通孔（13）に、絶縁部材（70）を嵌め込む。工程Ａ３では、ボルト（60）を、絶縁部材（70）の貫通孔に通す。工程Ａ３では、ボルト（60）を、台座（40）の雌ねじ（41）にねじ込む。これにより、固定子（12）は、ケーシング（30）（本体部（32））内に固定される。この状態では、固定子（12）の外周面と本体部（32）の内周面との間には隙間（W）がある。
【００３４】
−工程Ａ４−
工程Ａ４では、サブアセンブリを本体部（32）に取り付ける。図６に、サブアセンブリを本体部（32）に取り付けた状態を示す。この例では、圧縮機構（20）を本体部（32）に圧入している。この圧入によって、ケーシング（30）内では、圧縮機構（20）の径方向の位置が規制される。その結果、回転子（11）の径方向の位置も規制される。
【００３５】
−工程Ａ５−
工程Ａ５では、第１鏡板（33）及び第２鏡板（34）を本体部（32）に取り付ける。図７に第１鏡板（33）及び第２鏡板（34）を本体部（32）に取り付けた状態を示す。工程Ａ５では、第１鏡板（33）及び第２鏡板（34）を本体部（32）にそれぞれ溶接している。これにより、ケーシング（30）が密閉容器として完成する。
【００３６】
−工程Ａ６−
工程Ａ６では、アキュムレータ（50）からの配管を圧縮機構（20）に取り付ける。これにより、圧縮機（1）は完成である（図１を参照）。
【００３７】
〈本実施形態における効果〉
以上の通り本実施形態のモータの取付方法では、ケーシング（30）の内面（32a）に対して、固定子（12）の径方向に隙間（W）を開けて、固定子（12）を固定している。これにより、モータの取付後に固定子（12）に残る応力を低減できる。固定子（12）に残る応力を低下できると、固定子に応力が残る工法（従来工法という）と比べ、モータにおける鉄損が低減する。
【００３８】
例えば、従来工法では、この工法に起因するモータの性能低下を見込んでモータを設計する必要がある。具体的には、固定子のバックヨークの厚みにマージンを持たせる設計等が必要になる。それに対して、本実施形態では、そのようなマージンが不要である。換言すると、本実施形態を採用することで、モータのコストダウンも可能になる。
【００３９】
《実施形態２》
実施形態２では、圧縮機（1）の組み立て工程の他の例を説明する。圧縮機（1）の各構成要素（例えば圧縮機構（20）等）は、実施形態１と同じである。各構成要素の説明は、ここでは割愛する。
【００４０】
〈圧縮機の組み立て（モータの取り付け）〉
本実施形態でも固定子（12）は、台座（40）を介してケーシング（30）に固定されている。この固定には、ボルト（60）、及び絶縁部材（70）が用いられている。本実施形態では、圧縮機（1）を組み立てるために、以下の工程（Ｂ１〜Ｂ６）を行う。
【００４１】
−工程Ｂ１−
工程Ｂ１は、工程Ａ１と同じ作業を行う。工程Ｂ１の実施により、サブアセンブリ（図３を参照）を得ることができる。
【００４２】
−工程Ｂ２−
工程Ｂ２では、サブアセンブリを本体部（32）に取り付ける。図８に、サブアセンブリを本体部（32）に取り付けた状態を示す。この工程では、工程Ａ４と同様の作業を行う。この例では、圧縮機構（20）を本体部（32）に圧入している。この圧入によって、ケーシング（30）内では、圧縮機構（20）の径方向位置が規制される。その結果、回転子（11）の径方向の位置も規制される。なお、この工程では、パイプ材（35）を本体部（32）に溶接している。
【００４３】
−工程Ｂ３−
工程Ｂ３では、ケーシング（30）の本体部（32）に、台座（40）を取り付ける。図９に、本体部（32）に台座（40）を取り付けた状態を示す。この工程では、工程Ａ２と同様の作業を行う。具体的には、台座（40）を本体部（32）に圧入することによって、両者を互いに固定している。
【００４４】
−工程Ｂ４−
工程Ｂ４では、固定子（12）を台座（40）に取り付ける。本実施形態でも、固定子（12）と台座（40）との固定に、ボルト（60）及び絶縁部材（70）を用いる。
【００４５】
工程Ｂ４では、固定子（12）の貫通孔（13）に、絶縁部材（70）を嵌め込む。ボルト（60）は、絶縁部材（70）の貫通孔に通している。ボルト（60）は、台座（40）の雌ねじ（41）にねじ込んでいる。これにより、固定子（12）がケーシング（30）（本体部（32））内に固定される。この状態では、固定子（12）の外周面と本体部（32）の内周面との間には隙間（W）がある。
【００４６】
−工程Ｂ６−
工程Ｂ５は、工程Ａ５と同じ作業を行う。これにより、ケーシング（30）が密閉容器として完成する。
【００４７】
−工程Ｂ６−
工程Ｂ６は、工程Ａ６と同じ作業を行う。工程Ｂ６の完了により、圧縮機（1）が完成する（図１を参照）。
【００４８】
〈本実施形態における効果〉
以上の通り、本実施形態では、圧縮機構（20）の取付を固定子（12）の取り付けに先行して行っている。この場合においても、固定子（12）を、ケーシング（30）の内面（32a）に対して、固定子（12）の径方向に隙間を開けて固定している。そのため、本実施形態においても、実施形態１と同様の効果を得ることができる。
【００４９】
《その他の実施形態》
上記実施形態については、以下のような構成としてもよい。
【００５０】
回転子（11）と駆動軸（15）との固定（工程Ａ１，Ｂ１）、駆動軸（15）と圧縮機構（20）との固定（工程Ａ１，Ｂ１）、台座（40）と本体部（32）との固定（工程Ａ２，Ｂ３）、及び圧縮機構（20）と本体部（32）との固定（工程Ａ４，Ｂ２）では、圧入に代えて、焼嵌め、冷やし嵌め、溶接等の工法を用いてもよい。
【００５１】
例えば、圧縮機構（20）と本体部（32）とを溶接によって固定する場合には、回転子（11）の径方向の位置を規制できるように、各部材の嵌め合いの寸法公差を定める必要がある。嵌め合いに関わる部材は、この寸法公差で加工する必要がある。
【００５２】
固定子（12）と台座（40）の固定方法も例示である。例えば、ボルト（60）に代えて、リベット、接着、溶接等の工法を用いることが考えられる。
【００５３】
工程Ａ１，Ｂ１における、駆動軸（15）、圧縮機構（20）、回転子（11）の組立順も例示である。例えば、先に回転子（11）に駆動軸（15）を取り付け、その後、駆動軸（15）を圧縮機構（20）に取り付けてもよい。
【００５４】
工程Ａ１と工程Ａ２の実施順に限定はない。どちらが先であってもよいし、同時に進行してもよい。
【００５５】
台座（40）に雌ねじ（41）を設ける代わりに、ナットを用いてもよい。ナットを用いる場合には、ボルト（60）を通す貫通孔を台座（40）に形成する。例えば、台座（40）の貫通孔を長穴にしておけば、固定子（12）の位置調整が可能になる。換言すると、固定子（12）と回転子（11）の間のエアギャップの調整が可能になる。
【００５６】
台座（40）とケーシング（30）とは、一体形成してもよい。
【００５７】
台座（40）の形状は例示である。環状には限定されない。台座（40）は、ボルト（60）毎に別個に設けてもよい。
【００５８】
絶縁部材（70）は、筒状の部材を用いる代わりに、流動性を有する樹脂を採用してもよい。具体的には、ボルト（60）の締結後に、その樹脂を貫通孔（13）内に流し込み、流し込んだ樹脂を硬化させればよい。
【００５９】
圧縮機構（20）の形式は例示である。例えば、スクロール式の圧縮機構を採用してもよい。
【００６０】
前記実施形態の製造方法の適用は圧縮機には限定されない。ケーシング内にモータを収容する構造の機器の製造方法として有用である。
【００６１】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００６２】
以上説明したように、本開示は、モータの取付方法について有用である。
【符号の説明】
【００６３】
１０      モータ
１１      回転子
１２      固定子
１５      駆動軸（軸）
２０      圧縮機構
２０      圧縮機構（部材）
２２      軸受
３０      ケーシング
３２ａ    内面
４０      台座
【図１】
2020148108.tif 000003
【図２】
2020148108.tif 000004
【図３】
2020148108.tif 000005
【図４】
2020148108.tif 000006
【図５】
2020148108.tif 000007
【図６】
2020148108.tif 000008
【図７】
2020148108.tif 000009
【図８】
2020148108.tif 000010
【図９】
2020148108.tif 000011